(57)【要約】 【課題】  外筒体と内筒体からなる蓋受枠の内筒体を簡単に外すことが出来る構造簡単で使い勝手のよいジャッキ装置を提供する。【解決手段】外筒体２と内筒体３からなる蓋受枠Ａの前記外筒体２の内底ベース部２ａに架設する架設基版６と、中央にネジ杆８を螺合し、且つ長さが前記内筒体３の内部に設けた突縁３ａの下面と両端が係合する長さの短冊状の扛上版７とから成り、ネジ杆８の頭部８ａに簪状のハンドル９を設ける。扛上版７はハンドル９によりネジ杆８を回動させることにより上下に昇降させることが出来る。【選択図】図１
2017166242.tif 000002
【特許請求の範囲】
【請求項１】
地下構造物上に設置されている外筒体と内筒体からなる蓋受枠において、内筒体の下に設けられている前記外筒体の内底ベース部又は地下構造物に架設する架設基版と、中央にネジ杆を螺合し、且つ長さが前記内筒体の内部に設けた突縁の下面と両端が係合する長さの扛上版とから成ることを特徴とする蓋受枠用ジャッキ装置。
【請求項２】
前記架設基版を短冊状としたことを特徴とする蓋受枠用ジャッキ装置。
【請求項３】
前記架設基版を十字状としたことを特徴とする蓋受枠用ジャッキ装置である。
【請求項４】
前記架設基版を円形としたことを特徴とする蓋受枠用ジャッキ装置。
【請求項５】
前記架設基版に把持部を設けたことを特徴とする請求項１ないし４のいずれかに記載の蓋受枠用ジャッキ装置。
【請求項６】
前記架設基版の中央に、前期ネジ杆の下端と係合する凹部を設けたことを特徴とする請求項１ないし５のいずれかに記載の蓋受枠用ジャッキ装置。
【発明の詳細な説明】
【技術分野】
【０００１】
本発明は、地下構造物、例えば上下水道用マンホールの蓋受枠、或いは上水道設備における仕切弁、制水弁等の弁筐の蓋受枠のうち、外筒体と内筒体から成る蓋受枠用のジャッキ装置に関するものである。
【背景技術】
【０００２】
地下構造物の蓋受枠には、マンホール側塊に取付けるため、或いは環状の支持盤に支持させるためフランジが設けられているので、路面と蓋受枠上面に段差が生じた時、嵩上げ調整用スペーサーを前記フランジの下に挿入又は除去或いは交換する工事を行っている。しかし、その工事に際し、蓋受枠の周辺を大きく掘り起こさないとスペーサーの調整工事が出来ず、嵩上げ又は嵩下げ作業は、養生期間を含め手間と工事日数を要し、従って工事量がかかり問題となっていた。
【０００３】
この問題を解決するための蓋受枠として、外筒体と内筒体で蓋受枠を構成し、周囲に配置した適数本のジャッキ用ボルトで内筒体を昇降させるものが提案されていたが、前記の複数のジャッキ用ボルトをそれぞれ回動しなければならないため、スペーサーの調整作業に時間を要し、問題となっていた。
【先行技術文献】
【特許文献】
【０００４】
【特許文献１】特開平９−２０９４２０号公報
【特許文献２】特許第３６２２０９８号公報
【発明の概要】
【発明が解決しようとする課題】
【０００５】
そこで、本発明は、外筒体と内筒体からなる蓋受枠の内筒体を簡単に外すことが出来る構造簡単で使い勝手のよいジャッキ装置を提供しようとするものである。
【課題を解決するための手段】
【０００６】
本発明は、上記の課題を解決するためになされたもので、請求項１記載の発明は、地下構造物上に設置される外筒体と内筒体からなる蓋受枠において、内筒体の下に設けられている前記外筒体の内底ベース部又は地下構造物に架設する架設基版と、中央にネジ杆を螺合し、且つ長さが前記内筒体の内部に設けた突縁の下面と両端が係合する長さの扛上版とから成ることを特徴とする蓋受枠用ジャッキ装置である。
【０００７】
請求項２記載の発明は、前記架設基版を短冊状としたことを特徴とする蓋受枠用ジャッキ装置である。
【０００８】
請求項３記載の発明は、前記架設基版を十字状としたことを特徴とする蓋受枠用ジャッキ装置である。
【０００９】
請求項４記載の発明は、前記架設基版を円形としたことを特徴とする蓋受枠用ジャッキ装置である。
【００１０】
請求項５記載の発明は、請求項１ないし４記載の発明において、前記架設基版に把持部を設けたことを特徴とする蓋受枠用ジャッキ装置である。
【００１１】
請求項６記載の発明は、請求項１ないし５記載の発明において、前記架設基版の中央に、前記ネジ杆の下端と係合する凹部を設けたことを特徴とする蓋受枠用ジャッキ装置である。
【発明の効果】
【００１２】
請求項１記載の発明によれば、１本のネジ杆を回動すれば、蓋受枠の内筒体を上昇させて簡単に外筒体から外すことができるため、スペーサー調整作業が短縮化される効果がある。
【００１３】
請求項２及び３記載の発明によれば、架設基版と扛上版を蓋受枠の所定の位置に迅速に挿入することが出来る。
【００１４】
請求項４記載の発明によれば、ジャッキ作業中、円形の架設基版が蓋の役割を果たすので土砂の地下構造物内への落下を防止することが出来る。
【００１５】
請求項５記載の発明によれば、把持部があることにより架設基版の着脱を容易にすることができる。
【００１６】
請求項６記載の発明によれば、ネジ杆下端が位置決めされるため、ネジ杆の振れを防止する効果がある。
【図面の簡単な説明】
【００１７】
【図１】本発明の実施例１の縦断面図である。
【図２】本発明の実施例１における架設基版と扛上版の斜視図である。
【図３】本発明の実施例２における架設基版と扛上版の斜視図である。
【図４】本発明の実施例３における架設基版と扛上版の斜視図である。
【実施例１】
【００１８】
図１は本発明の実施例１の縦断面図、図２は架設基版と扛上版の斜視図で、１は硬質塩化ビニール製の弁筐、２は蓋受枠Ａの外筒体、３は蓋受枠Aの内筒体、４，５はスペーサー、６は、外筒体２の内底ベース部２ａ又はリング状のスペーサー４，５上に架設される架設基版、７は中央にネジ杆８を螺合し、且つ長さが内筒体３の内部に設けた突縁３ａの下面と両端が係合する長さの短冊状の扛上版である。
【００１９】
前記ネジ杆８の頭部８ａには簪状のハンドル９が着脱自在に取付けられ、また前記架設基版６の中央部にはネジ杆８の下端と係合する振れ止め用の凹部６ａが設けられている。
【００２０】
次に、例えば蓋受枠Ａの内筒体３の上面が、路面より突出し、スペーサー５を他のスペーサーと交換しようとする場合について説明すると、先ず図１に示すように架設基版６をスペーサー５上に架設し、次にハンドル９を持ってネジ杆８を回動して扛上版７を図１の位置より下げた状態にして内筒体３内に挿入し、ネジ杆８の下端を架設基版６の凹部６ａに係合させ、次いで、扛上版７自体がネジ杆８と共に回転しないように手で押さえ、ネジ杆８を回動させる。かくすれば扛上版７が上昇すると共に、扛上版７により内筒体３が押し上げられ、内筒体３を外筒体２から抜き取ることが出来る。
【００２１】
内筒体３を外筒体２から抜き取った後、スペーサー５の代わりに適正なスペーサーと交換し、再び内筒体３を挿入すれば、内筒体３の上面を路面に一致させることが出来る。
【００２２】
なお、仕切弁の弁筐のように口径の小さい場合は必要ないが、口径の大きい蓋受枠の場合は、ここでは図示しないが、公知の蓋受枠と同様、内外筒体を一体とする連繋ボルトを設けることは勿論である。
【００２３】
実施例１では架設基版６にネジ杆８の下端と係合する凹部６ａを設けたので、ネジ杆８が振れることなく円滑、迅速にジャッキ機能を発揮することが出来る。また従来のように数箇所のジャッキボルトを回動する場合に比し、１本のネジ杆８を回動するだけでよいので操作が楽で、しかも構成部品が少なく、更に蓋受枠にジャッキ用ボルトを設ける必要がないため、蓋受枠の部品を少なくすることが出来るため、内外外筒体からなる蓋受枠のジャッキ装置として実用価値大である。
【００２４】
本実施例では外筒体２の構造上、架設基版６を外筒体２の内底ベース部２ａ上に架設しているが、扛上版７より下に架設基版６が架設されればよいので、架設基版６が架設されるのは、例えば座盤や弁筐上端等、内底ベース部だけに限られないのは勿論である。
【００２５】
以上、説明した実施例１では、ネジ杆８の回動を簪状に取付けたハンドル９によって行うようにしたが、頭部８ａの頭頂に＋又は−の溝又は角状の凹部を設けるか、あるいは、頭部８ａを角状として、電動ドライバーで回動することも出来る。この回動方法によれば、扛上版７の昇降を迅速に行うことができ、作業時間を一層短縮することが出来る。
【実施例２】
【００２６】
図３は本発明の実施例２の斜視図を示すもので、架設基版６’は十字状にすると共に、中央部にネジ杆８の下端と係合するリング状の突条６’ａを設けたものである。本実施例２における用法は実施例１と同様なので説明は省略する。
【００２７】
実施例１及び２は蓋受枠への設置に優れているという長所があるが、スペーサーの着脱作業中、土砂が地下構造物内に落下する虞がある。そこで次にその問題点を改善した実施例３を例示する。
【実施例３】
【００２８】
図４は本発明の実施例３の斜視図を示すもので、６”は円形の架設基版、１０，１０は架設基版６”に設けた挿入孔に昇降自在に挿通したボルトとナットから成る把持部である。
【００２９】
実施例１及び２は蓋受枠への設置に簡便な点で優れているが、スペーサーの着脱作業中に土砂が地下構造物内に落下する虞がある。この実施例３によれば、架設基版６”が円形であるため地下構造部の蓋として開口部が閉鎖されるので、スペーサーの交換作業中、土砂が地下構造物内に落下することを防止することが出来る。
【００３０】
この実施例３では内筒体３を外筒体２から抜き取った後に架設基版６”を蓋受枠Ａ内から取り出す際には、把持部１０，１０のボルト頭を引っ張り、ボルトの一部が露出した部分を掴むことで架設基版６”を取り出すことが出来る。
【００３１】
なお、前記把持部は昇降するボルトとナットから構成したものであるが、他の構造のものでもよいことは勿論であるし、土砂が余り落ちる虞がない場合は、把持部は指を入れる孔としてもよい。
【００３２】
また、扛上版又は架設基版の形状は上述した実施例の形状に限定されないことは勿論であるし、把持部を実施例１及び２の架設基版に設けてもよい。
【符号の説明】
【００３３】
Ａ          蓋受枠
１          弁筐
２          外筒体
２ａ        内底ベース部
３          内筒体
４，５      スペーサー
６          架設基版
７          扛上版
８          ネジ杆
８ａ        頭部
９          ハンドル
１０        把持部
【図１】
2017166242.tif 000003
【図２】
2017166242.tif 000004
【図３】
2017166242.tif 000005
【図４】
2017166242.tif 000006